(57)【要約】  【課題】ＨＤＤなどの記憶装置から消去するに相応しい楽曲データを消去し、空き容量を効率良く確保することのできる楽曲データ消去装置を提供すること。  【解決手段】記憶装置に記憶されている楽曲データの中から、消去するに相応しい楽曲データを消去するための消去処理を行う消去手段を備えた楽曲データ消去装置において、消去の指標となる情報に、各楽曲データ毎の圧縮率に関する情報や、各楽曲データ毎のデータ元に関する情報、各楽曲データ毎のデータ量に関する情報などのうちの少なくとも一つの情報が含まれており、消去の指標となる情報に基づいて、消去処理が行われるように構成する。  【選択図】  図５
2006040338.tif 000002
【特許請求の範囲】
【請求項１】
記憶装置に記憶されている楽曲データの中から、消去するに相応しい楽曲データを消去
するための消去処理を行う消去手段を備えた楽曲データ消去装置において、
前記消去の指標となる情報に、
各楽曲データ毎の圧縮率に関する情報と、
各楽曲データ毎のデータ元に関する情報と、
各楽曲データ毎のデータ量に関する情報と、
各楽曲データ毎の最終再生時に関する情報と、
各楽曲データ毎のアーティストに関する情報と、
各ジャンル毎の楽曲データの再生回数又は再生頻度に関する情報と、
各アーティスト毎の楽曲データの再生回数又は再生頻度に関する情報と、
各楽曲アルバム毎の楽曲データの再生回数又は再生頻度に関する情報と、
各楽曲アルバム毎の前記記憶装置に記憶されている楽曲数に関する情報と、
各アーティスト毎の前記記憶装置に記憶されている楽曲数に関する情報と、
各ジャンル毎の前記記憶装置に記憶されている楽曲数に関する情報とのうちの少なくと
も一つの情報が含まれており、
前記消去手段が、前記消去の指標となる情報に基づいて、前記消去処理を行うものであ
ることを特徴とする楽曲データ消去装置。
【請求項２】
前記消去の指標となる情報に、異なる２以上の情報が含まれていることを特徴とする請
求項１記載の楽曲データ消去装置。
【請求項３】
記憶装置に記憶されている楽曲データの中から、消去するに相応しい楽曲データを消去
するための消去処理を行う消去手段を備えた楽曲データ消去装置において、
前記消去の指標となる情報に、
各楽曲データ毎の前記記憶装置に記憶された古さに関する情報と、
該情報とは別の情報とが含まれており、
前記消去手段が、前記消去の指標となる情報に基づいて、前記消去処理を行うものであ
ることを特徴とする楽曲データ消去装置。
【請求項４】
前記消去の指標となる情報に、前記別の情報として、
各楽曲データ毎の圧縮率に関する情報と、
各楽曲データ毎のデータ元に関する情報と、
各楽曲データ毎のデータ量に関する情報と、
各楽曲データ毎の最終再生時に関する情報と、
各楽曲データ毎のアーティストに関する情報と、
各ジャンル毎の楽曲データの再生回数又は再生頻度に関する情報と、
各アーティスト毎の楽曲データの再生回数又は再生頻度に関する情報と、
各楽曲アルバム毎の楽曲データの再生回数又は再生頻度に関する情報と、
各楽曲アルバム毎の前記記憶装置に記憶されている楽曲数に関する情報と、
各アーティスト毎の前記記憶装置に記憶されている楽曲数に関する情報と、
各ジャンル毎の前記記憶装置に記憶されている楽曲数に関する情報とのうちの少なくと
も一つの情報が含まれていることを特徴とする請求項３記載の楽曲データ消去装置。
【請求項５】
前記消去手段が、前記消去処理として、前記消去の指標となる情報に基づいて求められ
る消去優先度の高い楽曲データから消去するものであることを特徴とする請求項１〜４の
いずれかの項に記載の楽曲データ消去装置。
【請求項６】
前記消去手段が、前記消去処理として、楽曲データを識別する識別情報を、前記消去の
指標となる情報に基づいて求められる消去優先度の順に使用者へ紹介すると共に、使用者
により選択された前記識別情報により識別される楽曲データを消去するものであることを
特徴とする請求項１〜４のいずれかの項に記載の楽曲データ消去装置。
【請求項７】
前記消去手段が、前記消去処理として、楽曲データを識別する識別情報を、前記消去の
指標となる情報と一緒に表示すると共に、使用者により選択された前記識別情報により識
別される楽曲データを消去するものであることを特徴とする請求項１〜４のいずれかの項
に記載の楽曲データ消去装置。
【請求項８】
前記消去手段が、前記消去処理として、前記消去の指標となる所定の情報に基づいて判
定される所定の消去条件を満たす楽曲データを、前記所定の情報とは別の前記消去の指標
となる情報に基づいて求められる消去優先度の高いものから消去するものであることを特
徴とする請求項２〜４のいずれかの項に記載の楽曲データ消去装置。
【請求項９】
前記記憶装置の空き容量に基づいて、前記消去手段による前記消去処理が実行されるよ
うに構成されていることを特徴とする請求項１〜８のいずれかの項に記載の楽曲データ消
去装置。
【請求項１０】
記憶装置に記憶されている楽曲データの中から、消去するに相応しい楽曲データを消去
するための消去処理を行う楽曲データ消去方法において、
前記消去の指標となる情報に、
各楽曲データ毎の圧縮率に関する情報と、
各楽曲データ毎のデータ元に関する情報と、
各楽曲データ毎のデータ量に関する情報と、
各楽曲データ毎の最終再生時に関する情報と、
各楽曲データ毎のアーティストに関する情報と、
各ジャンル毎の楽曲データの再生回数又は再生頻度に関する情報と、
各アーティスト毎の楽曲データの再生回数又は再生頻度に関する情報と、
各楽曲アルバム毎の楽曲データの再生回数又は再生頻度に関する情報と、
各楽曲アルバム毎の前記記憶装置に記憶されている楽曲数に関する情報と、
各アーティスト毎の前記記憶装置に記憶されている楽曲数に関する情報と、
各ジャンル毎の前記記憶装置に記憶されている楽曲数に関する情報とのうちの少なくと
も一つの情報が含まれており、
前記消去の指標となる情報に基づいて、前記消去処理を行うステップを有していること
を特徴とする楽曲データ消去方法。
【発明の詳細な説明】
【技術分野】
【０００１】
本発明は楽曲データ消去装置、及び楽曲データ消去方法に関し、より詳細には、ＨＤＤ
（Hard Disk Drive ）などの記憶装置から楽曲データを効率良く消去するための楽曲デー
タ消去装置、及び楽曲データ消去方法に関する。
【背景技術】
【０００２】
近年、ＨＤＤなどの大容量記憶装置が普及し、一つの記憶装置に数多くの楽曲（例えば
、数千から１万曲）に関するデータを記憶させておくことができるようになっている。例
えば、図８に示したように、ＨＤＤ１に、ＣＤ２−１〜ＣＤ２−ｎに収録されている楽曲
そのもののデータ（以降、楽曲データとも記す）及びＴＯＣ（Table Of Contents ）情報
（例えば、楽曲数や総演奏時間）が記憶され、さらにはＣＤに関する情報（例えば、楽曲
アルバムのタイトル名や収録されている楽曲数、収録されている楽曲の総演奏時間、歌手
名、各楽曲の曲名・演奏時間・ジャンル）が記憶されている。
【０００３】
楽曲データやＴＯＣ情報については、ＣＤ２−１〜ＣＤ２−ｎからデータを読み出して
ＨＤＤ１に記憶させれば良く、例えば、楽曲データは各種フォーマットに基づいて圧縮処
理が施され、データ量が減らされてＨＤＤ１に記憶される。ＣＤに関する情報については
、該情報を提供するサービス機関３が存在するため、そのようなサービス機関３から提供
される情報を取得してＨＤＤ１に記憶させれば良い。なお、サービス機関３から提供され
たＣＤに関する情報が、ＨＤＤ１に記憶されているどの楽曲データに対応したものである
のかは、収録されている楽曲数と総演奏時間から判断することができ、例えば、第１番目
に記憶されている、タイトル名が「大発明」であるＣＤ（楽曲数１６曲、総演奏時間５１
分１２秒）に関する情報は、第２番目に記憶されている楽曲データ（ＣＤ２−２に収録さ
れていた楽曲データ）に対応したものであると判断することができる。
【０００４】
ＨＤＤなどの大容量記憶装置は、多量のデータを記憶するうえでは非常に都合が良い。
しかしながら、多量のデータを記憶することができるため、例えば、全く聴かなくなった
楽曲のデータが長期間に亘ってＨＤＤ内に記憶されたままとなることが考えられる。また
、そのような不要ともいえるデータがＨＤＤ内に数多く記憶されたままになっていると、
大容量といえどもいずれは記憶容量が不足し、例えば、楽曲データなどのデータを新しく
ＨＤＤに記憶させることができないといった事態が生じることになる。
【０００５】
このような場合、従来においては、使用者が手動により不要なデータを消去させること
によって、記憶容量を確保するようにしていた。しかしながら、数多くの楽曲の中から消
去するに相応しい楽曲を見つけることは決して容易ではなく、煩わしい手間と多くの時間
を必要としていた。
【０００６】
また、上記したように、記憶容量の確保には煩わしい手間と多くの時間を必要とするの
で、即座に空き容量を確保することは難しい。そのため、ＨＤＤ内の記憶容量が不足して
いる場合には、データを素早くＨＤＤに記憶させることはできなかった。そこで、使用者
の手を煩わせることなく、消去するに相応しいものを自動的に選択し、消去する技術が種
々提案されている。
【０００７】
例えば、下記の特許文献１には、記憶容量が不足している場合、一番古いデータから順
に消去するといった技術が開示されている。古いデータは、新しいデータと比較して、相
対的に価値は低いものと考えられるが絶対ではない。例えば、不要なデータを消去する作
業を時々行う者であれば、古いデータであるにもかかわらず、いつまでも記憶装置に残っ
ているデータは、逆にその者にとって大切なものであることも考えられる。つまり、古さ
というのは消去するに相応しいデータを選択するのための一つの指標となり得るが、決し
て絶対のものではない。
【０００８】
また、下記の特許文献２には、再生頻度に基づいて、再生頻度の少ないデータを消去す
るに相応しいデータとして選択する技術が開示されている。再生頻度の少ないデータは、
再生頻度の多いデータと比較して、相対的に価値は低いものと考えられるが、これについ
ても絶対ではない。例えば、古いデータは、新しいデータと比較して、価値の大きさは別
にして、相対的に再生頻度は少ないと考えられる。つまり、再生頻度についても消去する
に相応しいデータを選択するための一つの指標となり得るが、決して絶対のものではない
。
【特許文献１】特開平８−３０５６１４号公報
【特許文献２】特開２００２−２６８９２３号公報
【発明の開示】
【課題を解決するための手段及びその効果】
【０００９】
本発明は上記課題に鑑みなされたものであって、ＨＤＤなどの記憶装置から消去するに
相応しい楽曲データを消去し、空き容量を効率良く確保することのできる楽曲データ消去
装置、及び楽曲データ消去方法を提供することを目的としている。
【００１０】
上記目的を達成するために本発明に係る楽曲データ消去装置（１）は、記憶装置に記憶
されている楽曲データの中から、消去するに相応しい楽曲データを消去するための消去処
理を行う消去手段を備えた楽曲データ消去装置において、
前記消去の指標となる情報に、
各楽曲データ毎の圧縮率に関する情報と、
各楽曲データ毎のデータ元に関する情報と、
各楽曲データ毎のデータ量に関する情報と、
各楽曲データ毎の最終再生時に関する情報と、
各楽曲データ毎のアーティストに関する情報と、
各ジャンル毎の楽曲データの再生回数又は再生頻度に関する情報と、
各アーティスト毎の楽曲データの再生回数又は再生頻度に関する情報と、
各楽曲アルバム毎の楽曲データの再生回数又は再生頻度に関する情報と、
各楽曲アルバム毎の前記記憶装置に記憶されている楽曲数に関する情報と、
各アーティスト毎の前記記憶装置に記憶されている楽曲数に関する情報と、
各ジャンル毎の前記記憶装置に記憶されている楽曲数に関する情報とのうちの少なくと
も一つの情報が含まれており、前記消去手段が、前記消去の指標となる情報に基づいて、
前記消去処理を行うものであることを特徴としている。
【００１１】
上記楽曲データ消去装置（１）によれば、前記消去の指標となる情報に基づいて、前記
消去処理（例えば、消去優先度の高い順に楽曲データを消去する処理）が行われる。また
、前記消去の指標となる情報には、各楽曲データ毎の圧縮率に関する情報と、各楽曲デー
タ毎のデータ元に関する情報と、各楽曲データ毎のデータ量に関する情報と、各楽曲デー
タ毎の最終再生時に関する情報と、各楽曲データ毎のアーティストに関する情報と、使用
者の好む楽曲のジャンルに関する情報と、使用者の好むアーティストに関する情報と、使
用者の好む楽曲アルバムに関する情報と、各楽曲アルバム毎の前記記憶装置に記憶されて
いる楽曲数に関する情報と、各アーティスト毎の前記記憶装置に記憶されている楽曲数に
関する情報と、各ジャンル毎の前記記憶装置に記憶されている楽曲数に関する情報とのう
ちの少なくとも一つの情報が含まれている。
【００１２】
《各楽曲データ毎の圧縮率に関する情報》
前記記憶装置の容量を節約したい場合には楽曲データを圧縮し、圧縮したものを前記記
憶装置に記憶させるようになっている。圧縮率が高ければ、データ量は少なくなるが、逆
に音質は低下する。そのため、音質の良い楽曲データを優先して保存する場合には、各楽
曲データ毎の圧縮率に関する情報に基づいて、圧縮率の低い楽曲データを残し、圧縮率の
高い楽曲データを消去するようにすれば良い。また、消去する楽曲数を少なくしたい場合
には、各楽曲データ毎の圧縮率に関する情報に基づいて、圧縮率の高い楽曲データを残し
、圧縮率の低い楽曲データ（すなわち、データ量の多い楽曲データ）を消去するようにす
れば良い。
【００１３】
《各楽曲データ毎のデータ元に関する情報》
前記記憶装置に楽曲データを記憶させる場合、そのデータ元としては、ＣＤなどの記録
メディアや、ラジオ放送、テレビ放送などが挙げられる。通常、ラジオ放送、テレビ放送
から得られる楽曲データよりも、ＣＤなどの記録メディアを再生することによって得られ
る楽曲データの方がその音質は優れている。そのため、音質の良い楽曲データを優先して
保存する場合には、各楽曲データのデータ元に関する情報に基づいて、データ元がＣＤな
どの記録メディアであるものを残し、データ元がラジオ放送やテレビ放送であるものを消
去するようにすれば良い。
【００１４】
また、データ元がアルバムＣＤであるのか、シングルＣＤであるのかといった情報に基
づいて、保存の優先度を変えるようにしても良い。例えば、あるアルバムＣＤをデータ元
とする楽曲データを全て消去すれば、空き容量を効率良く確保することができる。また、
シングルＣＤをデータ元とする楽曲データを、アルバムＣＤをデータ元とする楽曲データ
よりも保存しておく価値が低いものとした場合には、アルバムＣＤをデータ元とするもの
よりも、シングルＣＤをデータ元とするものを優先して消去すれば良い。
【００１５】
《各楽曲データ毎のデータ量に関する情報》
記憶容量を確保したい場合、データ量の多い楽曲データを消去した方が、消去する楽曲
数は少なくて済む。そのため、消去する楽曲数を少なくしたい場合には、各楽曲データ毎
のデータ量に関する情報に基づいて、データ量の多い楽曲を消去するようにすれば良い。
また、その逆にデータ量が非常に少ないもの（例えば、再生時間が３０秒未満のもの）を
、保存しておく価値が低いものとした場合には、各楽曲データ毎のデータ量に関する情報
に基づいて、優先して消去するようにすれば良い。
【００１６】
《各楽曲データ毎の最終再生時に関する情報》
最終再生時が新しいもの（すなわち、最近聴いた楽曲）については、使用者が好んでい
る可能性が高く、逆に最終再生時が古いものについては、使用者が好んでいない可能性が
高い。そのため、使用者が好んでいるものを優先して保存する場合には、各楽曲データ毎
の最終再生時に関する情報に基づいて、最終再生時が古いものを優先して消去するように
すれば良い。
【００１７】
また、不要な楽曲データを消去する作業を時々行う者であれば、久しく聴いていないに
もかかわらず、いつまでも前記記憶装置に残っている楽曲データは、逆にその者にとって
大切なものであることも考えられる。そのため、このような使用者にとって大切なものを
優先して保存する場合には、各楽曲データ毎の最終再生時に関する情報に基づいて、最終
再生時が古いものを優先して保存するようにすれば良い。また、最近聴いたものについて
は消去されても構わないと思う使用者の場合には、最終再生時が新しいものを優先して消
去するようにしても良い。
【００１８】
《各楽曲データ毎のアーティストに関する情報》
ある人は男性アーティストを好み、ある人は女性アーティストを好むといったように、
使用者にはそれぞれ好みがある。そのため、使用者が男性アーティストを好んでいる場合
には、各楽曲データ毎のアーティストに関する情報（例えば、性別情報）に基づいて、女
性アーティストの楽曲データを優先して消去するようにし、その逆に、使用者が女性アー
ティストを好んでいる場合には、男性アーティストの楽曲データを優先して消去するよう
にすれば良い。
【００１９】
《各ジャンル毎の楽曲データの再生回数又は再生頻度に関する情報》
再生回数が多いものや再生頻度が高いものは、使用者が好んでいる可能性が高い。その
ため、使用者の好むジャンルの楽曲データを優先して保存する場合には、各ジャンル毎の
楽曲データの再生回数又は再生頻度に関する情報に基づいて、再生回数の多いジャンルや
再生頻度の高いジャンルの楽曲データを優先して保存し、再生回数の少ないジャンルや再
生頻度の低いジャンルの楽曲データを優先して消去するようにすれば良い。
【００２０】
また、これとは逆に、再生回数が非常に多いものや再生頻度が非常に高いものは、使用
者が聴き飽きている可能性がある。そのため、使用者が聴き飽きているジャンルの楽曲デ
ータを優先して消去する場合には、各ジャンル毎の楽曲データの再生回数又は再生頻度に
関する情報に基づいて、再生回数が非常に多いジャンルや再生頻度の非常に高いジャンル
の楽曲データを優先して消去するようにすれば良い。
【００２１】
《各アーティスト（又は楽曲アルバム）毎の楽曲データの再生回数又は再生頻度に関す
る情報》
上記と同様に、使用者の好むアーティスト（又は楽曲アルバム）の楽曲データを優先し
て保存する場合には、各アーティスト（又は楽曲アルバム）毎の楽曲データの再生回数又
は再生頻度に関する情報に基づいて、再生回数の多いアーティスト（又は楽曲アルバム）
や再生頻度の高いアーティスト（又は楽曲アルバム）の楽曲データを優先して保存し、再
生回数の少ないアーティスト（又は楽曲アルバム）や再生頻度の低いアーティスト（又は
楽曲アルバム）の楽曲データを優先して消去するようにすれば良い。
【００２２】
使用者が聴き飽きているアーティスト（又は楽曲アルバム）の楽曲データを優先して消
去する場合には、各アーティスト（又は楽曲アルバム）毎の楽曲データの再生回数又は再
生頻度に関する情報に基づいて、再生回数が非常に多いアーティスト（又は楽曲アルバム
）や再生頻度の非常に高いアーティスト（又は楽曲アルバム）の楽曲データを優先して消
去するようにすれば良い。
【００２３】
《各楽曲アルバム毎の前記記憶装置に記憶されている楽曲数に関する情報》
楽曲アルバムに収録されている楽曲数は統一されていない。１曲当りのデータ量が同じ
であれば、１０曲収録されている楽曲アルバムと、１１曲収録されている楽曲アルバムと
では、後者の方がデータ量は多い。そのため、空き容量を効率良く確保したい場合には、
各楽曲アルバム毎の前記記憶装置に記憶されている楽曲数に関する情報に基づいて、収録
されている楽曲数の多い楽曲アルバムをデータ元とする楽曲データを消去するようにすれ
ば良い。
【００２４】
《各アーティスト毎の前記記憶装置に記憶されている楽曲数に関する情報》
前記記憶装置にあるアーティストの楽曲データが数多く記憶されている場合、使用者が
そのアーティストを好んでいる可能性は高い。そのため、使用者が好んでいるアーティス
トの楽曲データを優先して保存する場合には、各アーティスト毎の前記記憶装置に記憶さ
れている楽曲数に関する情報に基づいて、前記記憶装置にあまり記憶されていないアーテ
ィストの楽曲データを優先して消去するようにすれば良い。
【００２５】
また、これとは逆に、前記記憶装置にあまり記憶されていないアーティストの楽曲デー
タを優先して保存する場合には、各アーティスト毎の前記記憶装置に記憶されている楽曲
数に関する情報に基づいて、前記記憶装置に数多く記憶されているアーティストの楽曲デ
ータを優先して消去するようにすれば良い。
【００２６】
《各ジャンル毎の前記記憶装置に記憶されている楽曲数に関する情報》
上記と同様に、使用者が好んでいるジャンルの楽曲データを優先して保存する場合には
、各ジャンル毎の前記記憶装置に記憶されている楽曲数に関する情報に基づいて、前記記
憶装置にあまり記憶されていないジャンルの楽曲データを優先して消去するようにすれば
良い。
【００２７】
また、前記記憶装置にあまり記憶されていないジャンルの楽曲データを優先して保存す
る場合には、各ジャンル毎の前記記憶装置に記憶されている楽曲数に関する情報に基づい
て、前記記憶装置に数多く記憶されているジャンルの楽曲データを優先して消去するよう
にすれば良い。
【００２８】
このように、前記消去の指標となる情報として、各楽曲データ毎の圧縮率に関する情報
や、各楽曲データ毎のデータ元に関する情報、各楽曲データ毎のデータ量に関する情報、
各楽曲データ毎の最終再生時に関する情報、各楽曲データ毎のアーティストに関する情報
、各ジャンル毎の楽曲データの再生回数又は再生頻度に関する情報、各アーティスト毎の
楽曲データの再生回数又は再生頻度に関する情報、各楽曲アルバム毎の楽曲データの再生
回数又は再生頻度に関する情報、各楽曲アルバム毎の前記記憶装置に記憶されている楽曲
数に関する情報、各アーティスト毎の前記記憶装置に記憶されている楽曲数に関する情報
、各ジャンル毎の前記記憶装置に記憶されている楽曲数に関する情報を用いることによっ
て、前記記憶装置から消去するに相応しい楽曲データを消去して、空き容量を効率良く確
保することができる。
【００２９】
また、本発明に係る楽曲データ消去装置（２）は、上記楽曲データ消去装置（１）にお
いて、前記消去の指標となる情報に、異なる２以上の情報が含まれていることを特徴とし
ている。
【００３０】
また、上記楽曲データ消去装置（２）によれば、前記消去の指標となる情報に、異なる
２以上の情報が含まれているので、消去するに相応しい楽曲データをより適切に選択して
消去することができる。例えば、各楽曲データ毎の圧縮率に関する情報に基づいて、音質
の悪いものを消去対象として絞り込み、絞り込んだ中から、各楽曲データ毎の最終再生時
に関する情報に基づいて、最終再生時が古い楽曲データから順に消去するようにすること
ができる。
【００３１】
また、本発明に係る楽曲データ消去装置（３）は、記憶装置に記憶されている楽曲デー
タの中から、消去するに相応しい楽曲データを消去するための消去処理を行う消去手段を
備えた楽曲データ消去装置において、前記消去の指標となる情報に、各楽曲データ毎の前
記記憶装置に記憶された古さに関する情報と、該情報とは別の情報とが含まれており、前
記消去手段が、前記消去の指標となる情報に基づいて、前記消去処理を行うものであるこ
とを特徴としている。
【００３２】
上記楽曲データ消去装置（３）によれば、前記消去の指標となる情報に基づいて、前記
消去処理（例えば、消去優先度の高い順に楽曲データを消去する処理）が行われる。また
、前記消去の指標となる情報には、各楽曲データ毎の前記記憶装置に記憶された古さに関
する情報が含まれている。
【００３３】
前記記憶装置に記憶されてから長期間が経過しているものについては、新しく記憶させ
たものに比べて、前記記憶装置に保存しておく価値が低い可能性が高い。そのため、保存
しておく価値の低いものを優先して消去する場合には、各楽曲データ毎の前記記憶装置に
記憶された古さに関する情報に基づいて、前記記憶装置に記憶されてからの経過時間が長
いものを優先して消去するようにすれば良い。
【００３４】
また、不要な楽曲データを消去する作業を時々行う者であれば、前記記憶装置に記憶さ
れてから長期間が経過しているにもかかわらず、いつまでも前記記憶装置に残っている楽
曲データは、逆にその者にとって大切なものであることも考えられる。そのため、このよ
うな使用者にとって大切なものを優先して保存する場合には、各楽曲データ毎の前記記憶
装置に記憶された古さに関する情報に基づいて、前記記憶装置に記憶されてからの経過時
間が所定の時間以上であるものを優先して保存するようにすれば良い。
【００３５】
また、上記楽曲データ消去装置（３）によれば、前記消去の指標となる情報に、各楽曲
データ毎の前記記憶装置に記憶された古さに関する情報だけでなく、該情報とは別の情報
が含まれているので、例えば、前記古さに関する情報に基づいて、前記記憶装置に記憶さ
れてからの経過時間が所定の時間以上経過しているものを消去の対象として絞り込み、絞
り込んだ中から、前記別の情報（例えば、各楽曲データ毎の最終再生時に関する情報）に
基づいて、最終再生時が古い楽曲データから順に消去するようにすることができる。
【００３６】
従って、データの古いものから単純に消去したり、最終再生時が古いものから単純に消
去するのではなく、所定の消去条件を満たすものの中から、消去優先度の高い順に消去す
ることができるので、消去するに相応しい楽曲データをより適切に選択して消去すること
ができる。
【００３７】
また、本発明に係る楽曲データ消去装置（４）は、上記楽曲データ消去装置（３）にお
いて、前記消去の指標となる情報に、前記別の情報として、
各楽曲データ毎の圧縮率に関する情報と、
各楽曲データ毎のデータ元に関する情報と、
各楽曲データ毎のデータ量に関する情報と、
各楽曲データ毎の最終再生時に関する情報と、
各楽曲データ毎のアーティストに関する情報と、
各ジャンル毎の楽曲データの再生回数又は再生頻度に関する情報と、
各アーティスト毎の楽曲データの再生回数又は再生頻度に関する情報と、
各楽曲アルバム毎の楽曲データの再生回数又は再生頻度に関する情報と、
各楽曲アルバム毎の前記記憶装置に記憶されている楽曲数に関する情報と、
各アーティスト毎の前記記憶装置に記憶されている楽曲数に関する情報と、
各ジャンル毎の前記記憶装置に記憶されている楽曲数に関する情報とのうちの少なくと
も一つの情報が含まれていることを特徴としている。
【００３８】
上記したように、前記消去の指標となる情報として、各楽曲データ毎の圧縮率に関する
情報や、各楽曲データ毎のデータ元に関する情報、各楽曲データ毎のデータ量に関する情
報、各楽曲データ毎の最終再生時に関する情報、各楽曲データ毎のアーティストに関する
情報、各ジャンル毎の楽曲データの再生回数又は再生頻度に関する情報、各アーティスト
毎の楽曲データの再生回数又は再生頻度に関する情報、各楽曲アルバム毎の楽曲データの
再生回数又は再生頻度に関する情報、各楽曲アルバム毎の前記記憶装置に記憶されている
楽曲数に関する情報、各アーティスト毎の前記記憶装置に記憶されている楽曲数に関する
情報、各ジャンル毎の前記記憶装置に記憶されている楽曲数に関する情報を用いることに
よって、前記記憶装置から消去するに相応しい楽曲データを消去して、空き容量を効率良
く確保することができる。従って、上記楽曲データ消去装置（４）によれば、消去するに
相応しい楽曲データをより一層適切に選択して消去することができる。
【００３９】
また、本発明に係る楽曲データ消去装置（５）は、上記楽曲データ消去装置（１）〜（
４）のいずれかにおいて、前記消去手段が、前記消去処理として、前記消去の指標となる
情報に基づいて求められる消去優先度の高い楽曲データから消去するものであることを特
徴としている。
上記楽曲データ消去装置（５）によれば、消去優先度の高い楽曲データから消去される
ので、使用者の手を煩わせることなく、空き容量を確保することができる。
【００４０】
また、本発明に係る楽曲データ消去装置（６）は、上記楽曲データ消去装置（１）〜（
４）のいずれかにおいて、前記消去手段が、前記消去処理として、楽曲データを識別する
識別情報を、前記消去の指標となる情報に基づいて求められる消去優先度の順に使用者へ
紹介すると共に、使用者により選択された前記識別情報により識別される楽曲データを消
去するものであることを特徴としている。
【００４１】
上記楽曲データ消去装置（６）によれば、楽曲データを識別する識別情報が消去優先度
の順に使用者へ紹介される（例えば、表示される）ので、使用者は消去するに相応しい楽
曲データを効率良く選択することができる。従って、空き容量を効率良く確保することが
できる。
【００４２】
また、本発明に係る楽曲データ消去装置（７）は、上記楽曲データ消去装置（１）〜（
４）のいずれかにおいて、前記消去手段が、前記消去処理として、楽曲データを識別する
識別情報を、前記消去の指標となる情報と一緒に表示すると共に、使用者により選択され
た前記識別情報により識別される楽曲データを消去するものであることを特徴としている
。
【００４３】
上記楽曲データ消去装置（７）によれば、使用者は前記消去の指標となる情報（例えば
、各楽曲データ毎の最終再生時に関する情報）を視認することで、消去するに相応しい楽
曲データを効率良く選択することができる。従って、空き容量を効率良く確保することが
できる。
【００４４】
また、本発明に係る楽曲データ消去装置（８）は、上記楽曲データ消去装置（２）〜（
４）のいずれかにおいて、前記消去手段が、前記消去処理として、前記消去の指標となる
所定の情報に基づいて判定される所定の消去条件を満たす楽曲データを、前記所定の情報
とは別の前記消去の指標となる情報に基づいて求められる消去優先度の高いものから消去
するものであることを特徴としている。
【００４５】
上記楽曲データ消去装置（８）によれば、消去対象の絞り込みが行われ、絞り込まれた
中から、消去優先度の高いものが消去される。従って、単純に消去優先度の高いものから
消去されるのではなく、消去対象の絞り込みが行われるので、消去するに相応しいものを
より適切に選択して消去することができる。
【００４６】
また、本発明に係る楽曲データ消去装置（９）は、上記楽曲データ消去装置（１）〜（
８）のいずれかにおいて、前記記憶装置の空き容量に基づいて、前記消去手段による前記
消去処理が実行されるように構成されていることを特徴としている。
【００４７】
上記楽曲データ消去装置（９）によれば、前記記憶装置の空き容量に基づいて、前記消
去手段による前記消去処理が実行されるように構成されているので、例えば、前記空き容
量が所定値以下となった場合、消去するに相応しい楽曲データを自動的に消去させるよう
にすることができる。
【００４８】
また、本発明に係る楽曲データ消去方法（１）は、記憶装置に記憶されている楽曲デー
タの中から、消去するに相応しい楽曲データを消去するための消去処理を行う楽曲データ
消去方法において、
前記消去の指標となる情報に、
各楽曲データ毎の圧縮率に関する情報と、
各楽曲データ毎のデータ元に関する情報と、
各楽曲データ毎のデータ量に関する情報と、
各楽曲データ毎の最終再生時に関する情報と、
各楽曲データ毎のアーティストに関する情報と、
各ジャンル毎の楽曲データの再生回数又は再生頻度に関する情報と、
各アーティスト毎の楽曲データの再生回数又は再生頻度に関する情報と、
各楽曲アルバム毎の楽曲データの再生回数又は再生頻度に関する情報と、
各楽曲アルバム毎の前記記憶装置に記憶されている楽曲数に関する情報と、
各アーティスト毎の前記記憶装置に記憶されている楽曲数に関する情報と、
各ジャンル毎の前記記憶装置に記憶されている楽曲数に関する情報とのうちの少なくと
も一つの情報が含まれており、
前記消去の指標となる情報に基づいて、前記消去処理を行うステップを有していること
を特徴としている。
【００４９】
上記楽曲データ消去方法（１）によれば、前記消去の指標となる情報に基づいて、前記
消去処理（例えば、消去優先度の高い順に楽曲データを消去する処理）を行うステップを
有している。また、前記消去の指標となる情報には、各楽曲データ毎の圧縮率に関する情
報と、各楽曲データ毎のデータ元に関する情報と、各楽曲データ毎のデータ量に関する情
報と、各楽曲データ毎の最終再生時に関する情報と、各楽曲データ毎のアーティストに関
する情報と、使用者の好む楽曲のジャンルに関する情報と、使用者の好むアーティストに
関する情報と、使用者の好む楽曲アルバムに関する情報と、各楽曲アルバム毎の前記記憶
装置に記憶されている楽曲数に関する情報と、各アーティスト毎の前記記憶装置に記憶さ
れている楽曲数に関する情報と、各ジャンル毎の前記記憶装置に記憶されている楽曲数に
関する情報とのうちの少なくとも一つの情報が含まれている。
【００５０】
上記したように、前記消去の指標となる情報として、各楽曲データ毎の圧縮率に関する
情報や、各楽曲データ毎のデータ元に関する情報、各楽曲データ毎のデータ量に関する情
報、各楽曲データ毎の最終再生時に関する情報、各楽曲データ毎のアーティストに関する
情報、各ジャンル毎の楽曲データの再生回数又は再生頻度に関する情報、各アーティスト
毎の楽曲データの再生回数又は再生頻度に関する情報、各楽曲アルバム毎の楽曲データの
再生回数又は再生頻度に関する情報、各楽曲アルバム毎の前記記憶装置に記憶されている
楽曲数に関する情報、各アーティスト毎の前記記憶装置に記憶されている楽曲数に関する
情報、各ジャンル毎の前記記憶装置に記憶されている楽曲数に関する情報を用いることに
よって、前記記憶装置から消去するに相応しい楽曲データを消去することができる。従っ
て、前記記憶装置の空き容量を効率良く確保することができる。
【発明を実施するための最良の形態】
【００５１】
以下、本発明に係る楽曲データ消去装置、及び楽曲データ消去方法の実施の形態を図面
に基づいて説明する。図１は、実施の形態（１）に係る楽曲データ消去装置を含んで構成
される（又は楽曲データ消去方法が採用された）オーディオシステムの要部を概略的に示
したブロック図である。
【００５２】
図中１１はオーディオシステムの本体部となるオーディオ装置を示しており、オーディ
オ装置１１は、ＣＰＵなどを有したコントローラ１２と、アンテナ１３を介してテレビ・
ラジオ放送を受信するための放送受信機１４と、音楽ＣＤ１５から楽曲データ（楽曲その
もののデータ）及びＴＯＣ情報を読み出すためのＣＤドライブ１６と、ボタンスイッチな
どを有したリモコン１７と、表示画面がタッチパネルとなっているディスプレイ１８と、
音声データを増幅する増幅器１９と、増幅された音声データを音声として出力するスピー
カ２０とを含んで構成されている。
【００５３】
また、コントローラ１２には、磁気ディスク（図示せず）で構成され、データの読み書
きが可能であり、楽曲データや楽曲情報に関するデータなど各種データが記憶されたＨＤ
Ｄ２１が接続されている。コントローラ１２に接続されている携帯電話などの移動体通信
機２２は、サーバー（図示せず）からの情報などの受信に用いるものであり、コントロー
ラ１２は移動体通信機２２を介してサーバーからの情報（例えば、楽曲に関する情報）を
取得することができるようになっている。なお、これらデータを記憶させるものはＨＤＤ
２１に限定されず、例えば、ＤＶＤなどの大容量記録メディアを用いても好適に実現可能
である。
【００５４】
コントローラ１２は、放送受信機１４で受信された楽曲データやＣＤドライブ１６で復
元された楽曲データを音声としてスピーカ２０から出力させたり、これら楽曲データを所
定の圧縮方式及び所定の圧縮率で圧縮処理を施して、圧縮した楽曲データをＨＤＤ２１に
記憶させることができるようになっている。なお、圧縮率については、使用者がリモコン
１７を操作したり、ディスプレイ１８のタッチパネルを操作することなどによって、自由
に設定でき、例えば、レート１〜３（レート１：圧縮率が一番高い）を自由に設定するこ
とができるようになっている。
【００５５】
図２は、ＨＤＤ２１に記憶されている楽曲データ、及び楽曲情報に関するデータの一部
を示した図であり、ＨＤＤ２１にはＣＤ２−１〜ＣＤ２−ｎ（図８参照）に収録されてい
る楽曲データ及びＴＯＣ情報（例えば、ＣＤに収録されている楽曲数や総演奏時間）に関
するデータが記憶され、さらにはＣＤに関する情報（例えば、タイトル名、収録されてい
る楽曲数、収録されている楽曲の総演奏時間、歌手名、その歌手の性別、リリースされた
年月日、収録されている各楽曲の曲名・演奏時間・ジャンル）に関するデータが記憶され
ている。
【００５６】
楽曲データやＴＯＣ情報に関するデータについては、ＣＤ２−１〜ＣＤ２−ｎからデー
タを読み出してＨＤＤ２１に記憶させれば良く、ＣＤに関する情報（すなわち、楽曲情報
）については、これら情報を提供する機関（サーバー）などから、移動体通信機２２を使
って取得してＨＤＤ２１に記憶させれば良い。なお、前記機関から提供されたＣＤに関す
る情報が、ＨＤＤ２１に記憶されているどの楽曲データに対応したものであるのかは、収
録されている楽曲数と総演奏時間から判断することができ、例えば、第１番目に記憶され
ている、タイトル名が「大発明」であるＣＤ（楽曲数１６曲、総演奏時間５１分１２秒）
に関する情報は、第２番目に記憶されている楽曲データ（ＣＤ２−２に収録されている楽
曲データ、楽曲No．１５〜No．３０）に対応したものであると判断することができる。ま
た、データ元がＣＤではなく、テレビ放送やラジオ放送である楽曲データの楽曲情報につ
いては、使用者により入力されたものをＨＤＤ２１に記憶させることができるようになっ
ている。
【００５７】
また、図３に示したように、ＨＤＤ２１には各楽曲データ毎に曲名や、アーティスト名
（歌手名）、そのアーティストの性別、ＨＤＤ２１に記憶された年月日、圧縮率、データ
元、データ元であるアルバムＣＤのタイトル名、データ量（再生時間）、最終再生時、そ
して楽曲データが消去されたか否かを示す消去項目（０：未消去、１：消去済）に関する
情報が記憶され、また、図４に示したように、ＨＤＤ２１には楽曲データの再生履歴に関
する情報が記憶されるようになっている。
【００５８】
楽曲データの圧縮率については、使用者により設定されたレート１〜３から把握するこ
とができ、データ元（放送によるものか、ＣＤによるものか）については、放送受信機１
４、ＣＤドライブ１６のいずれから取り込んだものであるのかといったことから知ること
ができ、データ量については再生時間などから知ることができる。また、楽曲データの最
終再生時については、再生履歴に関する情報から知ることができる。
【００５９】
実施の形態（１）に係る楽曲データ消去装置を含んで構成される（又は楽曲データ消去
方法が採用された）、オーディオシステムを構成するオーディオ装置１１のコントローラ
１２の行う処理動作［１］を図５に示したフローチャートに基づいて説明する。なお、こ
の処理動作［１］はリモコン１７が操作されることや、ディスプレイ１８のタッチパネル
に触れられることなどによって、使用者により楽曲データのＨＤＤ２１への記憶が指示さ
れた場合に行われる動作である。
【００６０】
まず、ＨＤＤ２１の空き容量が所定の容量ｃ以下であるか否かを判断し（ステップＳ１
）、ＨＤＤ２１の空き容量が所定の容量ｃ以下であると判断すれば、消去の指標となる情
報として、図３に示したような、各楽曲データ毎のＨＤＤ２１に記憶された古さに関する
情報（すなわち、ＨＤＤ２１に記憶された年月日に関する情報）に基づいて判定される所
定の消去条件（例えば、ＨＤＤ２１に記憶されてからの経過期間が所定の期間以上である
こと）を満たす楽曲データの中から、前記古さに関する情報とは別の前記消去の指標とな
る情報（例えば、図３に示したような、各楽曲データ毎の圧縮率に関する情報）に基づい
て求められる消去優先度の最も高いものを検索する（ステップＳ２）。
【００６１】
次に、検索結果に基づいて、前記所定の消去条件を満たす楽曲データの中から、消去優
先度の最も高いもの（例えば、圧縮率の最も高いもの）をＨＤＤ２１から消去し（ステッ
プＳ３）、消去された楽曲データに対応する楽曲情報に含まれる消去項目（図３参照）を
「１」にする（ステップＳ４）。なお、消去優先度が同じものについては、前記所定の消
去条件を満たしているか否かの判定に用いた古さに関する情報に基づいて、ＨＤＤ２１に
記憶されてからの経過期間が長いものを優先して消去するようになっている。
【００６２】
楽曲データの消去処理後、再度、ＨＤＤ２１の空き容量が所定の容量ｃ以下であるか否
かを判断し（ステップＳ５）、ＨＤＤ２１の空き容量が所定の容量ｃ以下でない（すなわ
ち、ある一定値以上の空き容量を確保することができた）と判断すれば、次に、通常の楽
曲データの記憶処理を行う（ステップＳ６）。一方、ＨＤＤ２１の空き容量はまだ所定の
容量ｃ以下であると判断すれば、ステップＳ２へ戻って、再び楽曲データの消去処理を行
う。
【００６３】
また、ステップＳ１において、ＨＤＤ２１の空き容量が所定の容量ｃ以下でないと判断
した場合（すなわち、ある一定値以上の空き容量が確保されている場合）には、楽曲デー
タの消去処理を行う必要がないので、ステップＳ２〜Ｓ５を飛ばして、そのままステップ
Ｓ６へ進んで、通常の楽曲データの記憶処理を行う。
【００６４】
上記実施の形態（１）に係る楽曲データ消去装置を含んで構成される（又は楽曲データ
消去方法が採用された）オーディオシステムによれば、各楽曲データ毎のＨＤＤ２１に記
憶された古さに関する情報に基づいて、消去対象の絞り込みが行われ、絞り込まれた中か
ら消去優先度の高いものが消去される。従って、消去するに相応しい楽曲データを適切に
選択して消去することができる。
【００６５】
また、上記実施の形態（１）に係る楽曲データ消去装置を含んで構成される（又は楽曲
データ消去方法が採用された）オーディオシステムでは、前記所定の消去条件を満たす楽
曲データの中から、圧縮率の高いもの（比較的、音質の悪いもの）を消去優先度が高いも
のとしているが、別の実施の形態では、これとは逆に圧縮率の低いもの（データ量の多い
もの）を消去優先度が高いものとしても良い。これについては使用者が自由に設定できる
ようにすることが望ましい。
【００６６】
また、上記実施の形態（１）に係る楽曲データ消去装置を含んで構成される（又は楽曲
データ消去方法が採用された）オーディオシステムでは、前記所定の消去条件を満たす楽
曲データの中から、各楽曲データ毎の圧縮率に関する情報に基づいて求められる消去優先
度の高いものを順に消去するようになっているが、消去優先度の算出に用いる情報はこれ
に限定されるものではなく、別の実施の形態では、各楽曲データ毎のデータ元に関する情
報や、各楽曲データ毎のデータ量に関する情報、各楽曲データ毎の最終再生時に関する情
報、各楽曲データ毎のアーティストに関する情報、各ジャンル毎の楽曲データの再生回数
又は再生頻度に関する情報、各アーティスト毎の楽曲データの再生回数又は再生頻度に関
する情報、各楽曲アルバム毎の楽曲データの再生回数又は再生頻度に関する情報、各楽曲
アルバム毎のＨＤＤ２１に記憶されている楽曲数に関する情報、各アーティスト毎のＨＤ
Ｄ２１に記憶されている楽曲数に関する情報、各ジャンル毎のＨＤＤ２１に記憶されてい
る楽曲数に関する情報などを用いるようにしても良い。
【００６７】
さらに、別の実施の形態では、異なる２以上の情報を用いるようにしても良く、例えば
各楽曲データ毎の圧縮率に関する情報に基づいて求められる消去優先度（例えば、レベル
Ｌａ１〜Ｌａ３の３段階）と、各楽曲データ毎のデータ元に関する情報に基づいて求めら
れる消去優先度（例えば、レベルＬｂ１〜Ｌｂ３の３段階）とを統合して得られる消去優
先度（例えば、レベルＬ１〜Ｌ９の９段階）を採用するようにしても良い。
【００６８】
なお、各楽曲データ毎のデータ元に関する情報や、各楽曲データ毎のデータ量に関する
情報、各楽曲データ毎の最終再生時に関する情報、各楽曲データ毎のアーティストに関す
る情報については、図３に示したような、ＨＤＤ２１に記憶されている各楽曲データ毎の
楽曲情報から得られる。
【００６９】
また、各ジャンル毎の楽曲データの再生回数又は再生頻度に関する情報や、各アーティ
スト毎の楽曲データの再生回数又は再生頻度に関する情報、各楽曲アルバム毎の楽曲デー
タの再生回数又は再生頻度に関する情報については、図４に示したような、ＨＤＤ２１に
記憶されている楽曲データの再生履歴に関する情報と、図３に示したような、楽曲情報と
から得られる。また、各楽曲アルバム毎のＨＤＤ２１に記憶されている楽曲数に関する情
報や、各アーティスト毎のＨＤＤ２１に記憶されている楽曲数に関する情報、各ジャンル
毎のＨＤＤ２１に記憶されている楽曲数に関する情報についても、図３に示したように、
ＨＤＤ２１に記憶されている各楽曲データ毎の楽曲情報から求めることができる。
【００７０】
次に、実施の形態（２）に係る楽曲データ消去装置を含んで構成される（又は楽曲デー
タ消去方法が採用された）オーディオシステムについて説明する。但し、このオーディオ
システムは、オーディオ装置１１及びコントローラ１２を除き、図１に示したオーディオ
システムと同様の構成であるため、オーディオ装置及びコントローラには異なる符号を付
し、その他の構成部分の説明を省略する。
【００７１】
オーディオ装置１１Ａは、ＣＰＵなどを有したコントローラ１２Ａと、放送受信機１４
と、ＣＤドライブ１６と、リモコン１７と、ディスプレイ１８と、増幅器１９と、スピー
カ２０とを含んで構成されている。また、コントローラ１２Ａには、ＨＤＤ２１と移動体
通信機２２とが接続されている。
【００７２】
コントローラ１２Ａは、放送受信機１４で受信された楽曲データやＣＤドライブ１６で
復元された楽曲データを音声としてスピーカ２０から出力させたり、これら楽曲データを
所定の圧縮方式及び所定の圧縮率で圧縮処理を施して、圧縮した楽曲データをＨＤＤ２１
に記憶させることができるようになっている。なお、圧縮率については、使用者がリモコ
ン１７を操作したり、ディスプレイ１８のタッチパネルを操作することなどによって、自
由に設定でき、例えば、レート１〜３（レート１：圧縮率が一番高い）を自由に設定する
ことができるようになっている。
【００７３】
実施の形態（２）に係る楽曲データ消去装置を含んで構成される（又は楽曲データ消去
方法が採用された）、オーディオシステムを構成するオーディオ装置１１Ａのコントロー
ラ１２Ａの行う処理動作［２］を図６に示したフローチャートに基づいて説明する。なお
、この処理動作［２］はリモコン１７が操作されることや、ディスプレイ１８のタッチパ
ネルに触れられることなどによって、使用者により楽曲データのＨＤＤ２１への記憶が指
示された場合に行われる動作である。
【００７４】
まず、ＨＤＤ２１の空き容量が所定の容量ｃ以下であるか否かを判断し（ステップＳ１
１）、ＨＤＤ２１の空き容量が所定の容量ｃ以下であると判断すれば、消去の指標となる
情報として、図３に示したような、各楽曲データ毎のＨＤＤ２１に記憶された古さに関す
る情報（すなわち、ＨＤＤ２１に記憶された年月日に関する情報）に基づいて判定される
所定の消去条件（例えば、ＨＤＤ２１に記憶されてからの経過期間が所定の期間以上であ
ること）を満たす楽曲データの楽曲名及びアーティスト名を、前記古さに関する情報とは
別の前記消去の指標となる情報（例えば、図３に示したような、各楽曲データ毎のデータ
元に関する情報）に基づいて求められる消去優先度の高い順に（例えば、データ元がテレ
ビ・ラジオ放送であるものを消去優先度が最も高いものとし、次に高いものをデータ元が
シングルＣＤであるものとし、最も消去優先度が低いものをデータ元がアルバムＣＤであ
るものとする）ディスプレイ１８に表示する（ステップＳ１２）。なお、消去優先度が同
じものについては、前記所定の消去条件を満たしているか否かの判定に用いた古さに関す
る情報に基づいて、ＨＤＤ２１に記憶されてからの経過期間が長いものを消去優先度が高
いものとして扱うようになっている。
【００７５】
次に、ディスプレイ１８に表示された表示画面を通じて、使用者により楽曲が選択され
たか否かを判断し（ステップＳ１３）、使用者により楽曲が選択されたと判断すれば、使
用者により選択された楽曲の楽曲データをＨＤＤ２１から消去し（ステップＳ１４）、消
去された楽曲データに対応する楽曲情報に含まれる消去項目（図３参照）を「１」にする
（ステップＳ１５）。
【００７６】
楽曲データの消去処理後、再度、ＨＤＤ２１の空き容量が所定の容量ｃ以下であるか否
かを判断し（ステップＳ１６）、ＨＤＤ２１の空き容量が所定の容量ｃ以下でない（すな
わち、ある一定値以上の空き容量を確保することができた）と判断すれば、次に、ディス
プレイ１８上から楽曲名やアーティスト名の表示を消去し（ステップＳ１７）、その後、
通常の楽曲データの記憶処理を行う（ステップＳ１８）。一方、ＨＤＤ２１の空き容量は
まだ所定の容量ｃ以下であると判断すれば、ステップＳ１３へ戻って、再び楽曲データの
消去処理を行う。
【００７７】
また、ステップＳ１１において、ＨＤＤ２１の空き容量が所定の容量ｃ以下でないと判
断した場合（すなわち、ある一定値以上の空き容量が確保されている場合）には、楽曲デ
ータの消去処理を行う必要がないので、ステップＳ１２〜Ｓ１７を飛ばして、そのままス
テップＳ１８へ進んで、通常の楽曲データの記憶処理を行う。
【００７８】
上記実施の形態（２）に係る楽曲データ消去装置を含んで構成される（又は楽曲データ
消去方法が採用された）オーディオシステムによれば、各楽曲データ毎のＨＤＤ２１に記
憶された古さに関する情報に基づいて、消去対象の絞り込みが行われ、絞り込まれた楽曲
データを識別する識別情報（ここでは楽曲名とアーティスト名）が消去優先度の高い順に
表示される。これにより、使用者は消去するに相応しい楽曲データを効率良く適切に選択
することができる。
【００７９】
また、上記実施の形態（２）に係る楽曲データ消去装置を含んで構成される（又は楽曲
データ消去方法が採用された）オーディオシステムでは、データ元がテレビ・ラジオ放送
であるものを消去優先度が最も高いものとし、次に高いものをデータ元がシングルＣＤで
あるものとし、最も消去優先度が低いものをデータ元がアルバムＣＤであるものとしてい
るが、消去優先度の設定はこれに限定されず、別の実施の形態では、例えば、データ元が
アルバムＣＤであるものを、データ元がシングルＣＤであるものよりも消去優先度を高く
しても良い。なお、消去優先度については使用者が自由に設定できるようにすることが望
ましい。
【００８０】
また、上記実施の形態（２）に係る楽曲データ消去装置を含んで構成される（又は楽曲
データ消去方法が採用された）オーディオシステムでは、前記所定の消去条件を満たす楽
曲データの中から、各楽曲データ毎のデータ元に関する情報に基づいて求められる消去優
先度の高いものを順に消去するようになっているが、消去優先度の算出に用いる情報はこ
れに限定されるものではなく、別の実施の形態では、各楽曲データ毎の圧縮率に関する情
報や、各楽曲データ毎のデータ量に関する情報、各楽曲データ毎の最終再生時に関する情
報、各楽曲データ毎のアーティストに関する情報、各ジャンル毎の楽曲データの再生回数
又は再生頻度に関する情報、各アーティスト毎の楽曲データの再生回数又は再生頻度に関
する情報、各楽曲アルバム毎の楽曲データの再生回数又は再生頻度に関する情報、各楽曲
アルバム毎のＨＤＤ２１に記憶されている楽曲数に関する情報、各アーティスト毎のＨＤ
Ｄ２１に記憶されている楽曲数に関する情報、各ジャンル毎のＨＤＤ２１に記憶されてい
る楽曲数に関する情報などを用いるようにしても良い。
【００８１】
さらに、別の実施の形態では、異なる２以上の情報を用いるようにしても良く、例えば
各楽曲データ毎のデータ元に関する情報に基づいて求められる消去優先度（例えば、レベ
ルＬａ１〜Ｌａ３の３段階）と、各楽曲データ毎の圧縮率に関する情報に基づいて求めら
れる消去優先度（例えば、レベルＬｂ１〜Ｌｂ３の３段階）とを統合して得られる消去優
先度（例えば、レベルＬ１〜Ｌ９の９段階）を採用するようにしても良い。
【００８２】
次に、実施の形態（３）に係る楽曲データ消去装置を含んで構成される（又は楽曲デー
タ消去方法が採用された）オーディオシステムについて説明する。但し、このオーディオ
システムは、オーディオ装置１１及びコントローラ１２を除き、図１に示したオーディオ
システムと同様の構成であるため、オーディオ装置及びコントローラには異なる符号を付
し、その他の構成部分の説明を省略する。
【００８３】
オーディオ装置１１Ｂは、ＣＰＵなどを有したコントローラ１２Ｂと、放送受信機１４
と、ＣＤドライブ１６と、リモコン１７と、ディスプレイ１８と、増幅器１９と、スピー
カ２０とを含んで構成されている。また、コントローラ１２Ｂには、ＨＤＤ２１と移動体
通信機２２とが接続されている。
【００８４】
コントローラ１２Ｂは、放送受信機１４で受信された楽曲データやＣＤドライブ１６で
復元された楽曲データを音声としてスピーカ２０から出力させたり、これら楽曲データを
所定の圧縮方式及び所定の圧縮率で圧縮処理を施して、圧縮した楽曲データをＨＤＤ２１
に記憶させることができるようになっている。なお、圧縮率については、使用者がリモコ
ン１７を操作したり、ディスプレイ１８のタッチパネルを操作することなどによって、自
由に設定でき、例えば、レート１〜３（レート１：圧縮率が一番高い）を自由に設定する
ことができるようになっている。
【００８５】
実施の形態（３）に係る楽曲データ消去装置を含んで構成される（又は楽曲データ消去
方法が採用された）、オーディオシステムを構成するオーディオ装置１１Ｂのコントロー
ラ１２Ｂの行う処理動作［３］を図７に示したフローチャートに基づいて説明する。なお
、この処理動作［３］はリモコン１７が操作されることや、ディスプレイ１８のタッチパ
ネルに触れられることなどによって、使用者により楽曲データのＨＤＤ２１への記憶が指
示された場合に行われる動作である。
【００８６】
まず、ＨＤＤ２１の空き容量が所定の容量ｃ以下であるか否かを判断し（ステップＳ２
１）、ＨＤＤ２１の空き容量が所定の容量ｃ以下であると判断すれば、消去の指標となる
情報として、図３に示したような、各楽曲データ毎のＨＤＤ２１に記憶された古さに関す
る情報（すなわち、ＨＤＤ２１に記憶された年月日に関する情報）に基づいて判定される
所定の消去条件（例えば、ＨＤＤ２１に記憶されてからの経過期間が所定の期間以上であ
ること）を満たす楽曲データの楽曲名及びアーティスト名を、前記古さに関する情報とは
別の前記消去の指標となる情報（例えば、図３に示したような、各楽曲データ毎の最終再
生時に関する情報）と一緒にディスプレイ１８に表示する（ステップＳ２２）。
【００８７】
また、別の実施の形態では、前記別の消去の指標となる情報に基づいて求められる消去
優先度の高い順に楽曲名及びアーティスト名を表示するようにしても良い。なお、消去優
先度が同じものについては、前記所定の消去条件を満たしているか否かの判定に用いた古
さに関する情報に基づいて、ＨＤＤ２１に記憶されてからの経過期間が長いものを消去優
先度が高いものとして扱うようにすれば良い。
【００８８】
次に、ディスプレイ１８に表示された表示画面を通じて、使用者により楽曲が選択され
たか否かを判断し（ステップＳ２３）、使用者により楽曲が選択されたと判断すれば、使
用者により選択された楽曲の楽曲データをＨＤＤ２１から消去し（ステップＳ２４）、消
去された楽曲データに対応する楽曲情報に含まれる消去項目（図３参照）を「１」にする
（ステップＳ２５）。
【００８９】
楽曲データの消去処理後、再度、ＨＤＤ２１の空き容量が所定の容量ｃ以下であるか否
かを判断し（ステップＳ２６）、ＨＤＤ２１の空き容量が所定の容量ｃ以下でない（すな
わち、ある一定値以上の空き容量を確保することができた）と判断すれば、次に、ディス
プレイ１８上から楽曲名やアーティスト名の表示を消去し（ステップＳ２７）、その後、
通常の楽曲データの記憶処理を行う（ステップＳ２８）。一方、ＨＤＤ２１の空き容量は
まだ所定の容量ｃ以下であると判断すれば、ステップＳ２３へ戻って、再び楽曲データの
消去処理を行う。
【００９０】
また、ステップＳ２１において、ＨＤＤ２１の空き容量が所定の容量ｃ以下でないと判
断した場合（すなわち、ある一定値以上の空き容量が確保されている場合）には、楽曲デ
ータの消去処理を行う必要がないので、ステップＳ２２〜Ｓ２７を飛ばして、そのままス
テップＳ２８へ進んで、通常の楽曲データの記憶処理を行う。
【００９１】
上記実施の形態（３）に係る楽曲データ消去装置を含んで構成される（又は楽曲データ
消去方法が採用された）オーディオシステムによれば、各楽曲データ毎のＨＤＤ２１に記
憶された古さに関する情報に基づいて、消去対象の絞り込みが行われ、絞り込まれた楽曲
データを識別する識別情報（ここでは楽曲名とアーティスト名）が消去の指標となる情報
（ここでは最終再生時に関する情報）と一緒に表示される。これにより、使用者は消去す
るに相応しい楽曲データを効率良く適切に選択することができる。
【００９２】
また、上記実施の形態（３）に係る楽曲データ消去装置を含んで構成される（又は楽曲
データ消去方法が採用された）オーディオシステムでは、楽曲データを識別する識別情報
と一緒に表示させる消去の指標となる情報として、各楽曲データ毎の最終再生時に関する
情報を採用しているが、前記識別情報と一緒に表示させるものとしてはこれに限定されず
、別の実施の形態では、各楽曲データ毎の圧縮率に関する情報や、各楽曲データ毎のデー
タ元に関する情報、各楽曲データ毎のデータ量に関する情報、各楽曲データ毎のアーティ
ストに関する情報、各ジャンル毎の楽曲データの再生回数又は再生頻度に関する情報、各
アーティスト毎の楽曲データの再生回数又は再生頻度に関する情報、各楽曲アルバム毎の
楽曲データの再生回数又は再生頻度に関する情報、各楽曲アルバム毎のＨＤＤ２１に記憶
されている楽曲数に関する情報、各アーティスト毎のＨＤＤ２１に記憶されている楽曲数
に関する情報、各ジャンル毎のＨＤＤ２１に記憶されている楽曲数に関する情報などを採
用するようにしても良い。
【００９３】
さらに、別の実施の形態では、異なる２以上の情報を用いるようにしても良く、例えば
各楽曲データ毎の最終再生時に関する情報に基づいて求められる消去優先度（例えば、レ
ベルＬａ１〜Ｌａ３の３段階）と、各楽曲データ毎の圧縮率に関する情報に基づいて求め
られる消去優先度（例えば、レベルＬｂ１〜Ｌｂ３の３段階）とを統合して得られる消去
優先度（例えば、レベルＬ１〜Ｌ９の９段階）を採用するようにしても良い。
【００９４】
また、上記実施の形態（１）〜（３）に係る楽曲データ消去装置を含んで構成される（
又は楽曲データ消去方法が採用された）オーディオシステムでは、消去対象の絞り込みの
ために、各楽曲データ毎のＨＤＤ２１に記憶された古さに関する情報に基づいて判定され
る所定の消去条件を採用しているが、消去対象の絞り込みに用いる情報はこれに限定され
るものではなく、別の実施の形態では、各楽曲データ毎の圧縮率に関する情報や、各楽曲
データ毎のデータ元に関する情報、各楽曲データ毎のデータ量に関する情報、各楽曲デー
タ毎の最終再生時に関する情報、各楽曲データ毎のアーティストに関する情報、各ジャン
ル毎の楽曲データの再生回数又は再生頻度に関する情報、各アーティスト毎の楽曲データ
の再生回数又は再生頻度に関する情報、各楽曲アルバム毎の楽曲データの再生回数又は再
生頻度に関する情報、各楽曲アルバム毎のＨＤＤ２１に記憶されている楽曲数に関する情
報、各アーティスト毎のＨＤＤ２１に記憶されている楽曲数に関する情報、各ジャンル毎
のＨＤＤ２１に記憶されている楽曲数に関する情報などを用いるようにしても良い。
【００９５】
さらに、別の実施の形態では、異なる２以上の情報を用いるようにしても良く、例えば
各楽曲データ毎のＨＤＤ２１に記憶された古さに関する情報と、各楽曲データ毎の最終再
生時に関する情報とに基づいて、ＨＤＤ２１に記憶されてからの経過期間が所定の期間（
例えば、２年）以上であり、なおかつ最終再生時からの経過時間が所定の期間（例えば、
６か月）以上である楽曲データを消去対象とするようにしても良い。
【図面の簡単な説明】
【００９６】
【図１】本発明の実施の形態（１）に係る楽曲データ消去装置を含んで構成される（又は楽曲データ消去方法が採用された）オーディオシステムの要部を概略的に示したブロック図である。
【図２】ＨＤＤに記憶されているデータの一部を示した図である。
【図３】ＨＤＤに記憶されているデータの一部を示した図である。
【図４】ＨＤＤに記憶されているデータの一部を示した図である。
【図５】実施の形態（１）に係る楽曲データ消去装置を含んで構成される（又は楽曲データ消去方法が採用された）オーディオシステムにおけるオーディオ装置のコントローラで行われる処理動作を示したフローチャートである。
【図６】実施の形態（２）に係る楽曲データ消去装置を含んで構成される（又は楽曲データ消去方法が採用された）オーディオシステムにおけるオーディオ装置のコントローラで行われる処理動作を示したフローチャートである。
【図７】実施の形態（３）に係る楽曲データ消去装置を含んで構成される（又は楽曲データ消去方法が採用された）オーディオシステムにおけるオーディオ装置のコントローラで行われる処理動作を示したフローチャートである。
【図８】ＨＤＤに記憶されているデータの一部を示した図である。
【符号の説明】
【００９７】
１１、１１Ａ、１１Ｂ  オーディオ装置
１２、１２Ａ、１２Ｂ  コントローラ
１４  放送受信機
１６  ＣＤドライブ
１８  ディスプレイ
２１  ＨＤＤ
【図１】
2006040338.tif 000003
【図２】
2006040338.tif 000004
【図３】
2006040338.tif 000005
【図４】
2006040338.tif 000006
【図５】
2006040338.tif 000007
【図６】
2006040338.tif 000008
【図７】
2006040338.tif 000009
【図８】
2006040338.tif 000010